(57)【要約】【課題】簡単な操作でシャッタチャージされた状態に復帰する。【解決手段】マイクロコンピュータは、スタンバイモードで動作している間には、レリーズボタンの押圧に応答してＳ１信号と、裏蓋の開閉状態に応じたＳＢ信号だけを監視している。レリーズボタンが押圧操作されて、Ｓ１信号がオンとなるとレリーズ処理を実行し、シャッタチャージの有無に応じたＳＨＣ信号を調べる。このＳＨＣ信号に基づいてシャッタチャージされていないことを検知した場合には、給送モータを駆動して１コマ分のフイルム給送を実行する。【選択図】        図５
2004302278.tif 000002
【特許請求の範囲】
【請求項１】
フイルム給送によってシャッタチャージされるシャッタ装置と、このシャッタ装置のシャッタチャージの有無に応じたチャージ信号を出力するチャージ検出手段と、レリーズボタンの押圧操作を検出したときにレリーズ信号を出力するレリーズ検出手段と、レリーズ信号の入力中に、チャージ信号に基づいて前記シャッタ装置がシャッタチャージされている状態からされていない状態に変化することを検知した際に、１コマ分のフイルム給送するように給送モータを制御する制御手段とを備えたカメラにおいて、
前記制御手段は、レリーズ信号が入力された際に、チャージ信号に基づいてシャッタ装置がシャッタチャージされていないことを検知した場合には、前記給送モータを駆動して１コマ分のフイルム給送を行うことを特徴とするカメラ。
【請求項２】
写真フイルムを装填するための装填蓋の開閉状態に応じた開閉信号を出力する蓋検出手段を備え、前記制御手段は、フイルム給送を制御する動作制御モードと、この動作モードよりも低電力で動作し、レリーズ信号と開閉信号をだけを監視するスタンバイモードとを有するマイクロコンピュータであり、このマイクロコンピュータは、スタンバイモード下でレリーズ信号に基づいてレリーズボタンの押圧または開閉信号に基づいて装填蓋の開放を検知したときに動作制御モードに移行し、動作制御モード下での制御を終了し、かつレリーズ信号に基づいてレリーズボタンの押圧の解除と開閉信号に基づいて装填蓋の閉鎖を検知したときにスタンバイモードに移行することを特徴とする請求項１記載のカメラ。
【請求項３】
前記マイクロコンピュータは、スタンバイモード下でレリーズ信号に基づいてレリーズボタンの押圧を検知したときには動作制御モードに移行した後にチャージ信号に基づく判定を行なうことを特徴とする請求項２記載のカメラ。
【発明の詳細な説明】
【０００１】
【発明の属する技術分野】
本発明は、カメラに関するものである。
【０００２】
【従来の技術】
安価なカメラには、蹴飛ばし式と呼ばれる簡単な構成なものが用いられているものがある。蹴飛ばし式のシャッタ装置は、レリーズ操作に応答して、駆動バネで付勢力によりシャッタ駆動レバーをチャージ位置からリリース位置に向けて高速に移動させる。この移動の間に復帰バネの付勢によってシャッタ開口を塞ぐ閉じ位置にあるシャッタ羽根の端部を蹴飛ばすことにより、復帰バネの付勢力に抗してシャッタ羽根を回動させてシャッタ開口を開放し、その後に復帰バネの付勢力によって再び閉じ位置に戻す。このようにシャッタ羽根が開閉動作を行っている間に写真フイルムに対して露光を行う。
【０００３】
シャッタ駆動レバーは、１コマ分のフイルム給送によってリリース位置からチャージ位置に移動され、所定の係止部材に係止されることでシャッタチャージ状態に保持される。そして、レリーズボタン７を押圧すると係止部材によるシャッタ駆動レバーの係止が解除され、シャッタ駆動レバーがリリース位置に向けて移動する。
【０００４】
また、フイルム給送をマイクロコンピュータによって制御するカメラも知られている。このようなカメラのマイクロコンピュータは、レリーズボタンの押圧に応答してシャッタ羽根が開閉動作が完了すると、給送モータを駆動し写真フイルムの１コマ分のフイルム給送を行っている。
【０００５】
【発明が解決しようとする課題】
ところで、上記の蹴飛ばし式のシャッタ装置では、カメラボディに強い衝撃が加えられると、レリーズボタンが押圧されなくても、シャッタ駆動レバーが係止部材との係止位置から外れて、リリース位置に向けて移動し、シャッタチャージされていない状態となってしまうことがある。このような蹴飛ばし式のシャッタ装置と給送モータを制御するマイクロコンピュータを組み合わせた場合には、例えば常にシャッタチャージの状態を監視し、このシャッタチャージされていない状態に変化したときに、１コマ分のフイルム給送を自動的に実行させる手法や、強制的に１コマ分のフイルム給送を実行させるための操作部材とこれに連動してオン・オフされるスイッチを設け、撮影者がシャッタチャージされていないことを気づいたときに、その操作部材を操作してマイクロコンピュータに指示を与える手法等が考えられる。
【０００６】
しかしながら、前者の手法では、シャッタチャージを監視する分だけ消費電力が増えてしまう。電源スイッチを設けることで、電源がオンとなっているときだけシャッタチャージの状態を監視させることもできるが、電源スイッチ及びその電源を操作するための操作部材が必要になってしまい部品点数を増加により製造コストの上昇を招く。また、後者の手法においでは、１コマ給送を行うための操作部材，スイッチが必要となり製造コストの上昇を招くのと同時に、レリーズボタンの押圧操作によってシャッタ装置が作動しないことを知った後に、その操作部材を操作しなけらばならず、操作が煩雑になるという問題もある。なお、蹴飛ばし式のシャッタ装置に限らず、強い衝撃が与えられたときにシャッタチャージがされていない状態となる機械式シャッタ装置でも同じ問題が生じる。
【０００７】
本発明は、上記事情を考慮してなされたもので、レリーズボタンの押圧操作によらず、シャッタ装置がシャッタチャージされていない状態になったときに、簡単な操作で、しかも低電力で１コマ給送を行って撮影可能な状態にすることができるカメラを提供することを目的とする。
【０００８】
【課題を解決するための手段】
上記目的を達成するために、請求項１記載の発明では、１コマ分のフイルム給送するように給送モータを制御する制御手段を、レリーズ信号が入力された際に、チャージ信号に基づいてシャッタ装置がシャッタチャージされていないことを検知した場合には、給送モータを駆動して１コマ分のフイルム給送を行うようにしたものである。
【０００９】
請求項２記載の発明では、写真フイルムを装填するための装填蓋の開閉状態に応じた開閉信号を出力する蓋検出手段を備え、制御手段は、フイルム給送を制御する動作制御モードと、この動作モードよりも低電力で動作し、レリーズ信号と開閉信号をだけを監視するスタンバイモードとを有するマイクロコンピュータであり、このマイクロコンピュータは、スタンバイモード下でレリーズ信号に基づいてレリーズボタンの押圧または開閉信号に基づいて装填蓋の開放を検知したときに動作制御モードに移行し、動作制御モード下での制御を終了し、かつレリーズ信号に基づいてレリーズボタンの押圧の解除と開閉信号に基づいて装填蓋の閉鎖を検知したときにスタンバイモードに移行するようにしたものである。
【００１０】
請求項３記載の発明では、マイクロコンピュータは、スタンバイモード下でレリーズ信号に基づいてレリーズボタンの押圧を検知したときには動作制御モードに移行した後にチャージ信号に基づく判定を行なうものである。
【００１１】
【発明の実施の形態】
本発明を実施したカメラの外観を図１に示す。カメラの前面には、撮影レンズ２，ファインダの対物側窓３，ストロボ発光部４，ストロボ操作部材５，レンズバリア操作部材６が設けられている。また、上面には、レリーズボタン７，ストロボ発光が可能となったことを表示する充電完了表示窓８が設けられている。さらに、カメラの一方の側面には、裏蓋操作部材９と、使用途中の写真フイルムを強制的にパトローネ内に巻き戻す際に押圧操作される巻戻し操作部材１０とが設けられている。
【００１２】
レリーズボタン７は、浅く押圧した半押し位置と、さらに押し込んだ全押し位置とに押圧操作可能にされている。レリーズボタン７を半押し位置とすると、ストロボ発光部４の内部に設けられた赤目防止ＬＥＤ１１（図２参照）がシャッタ羽根の開閉動作が行われる直前まで点灯する。レリーズボタン７を半押し位置からさらに全押し位置とすることにより、シャッタ羽根の開閉動作が行われて撮影レンズ２を通して写真フイルムに露光が与えられる。
【００１３】
ストロボ操作部材５は、図示するオフ位置と、このオフ位置から上方にスライド移動されたオン位置との間でスライド操作可能にされている。このストロボ操作部材５をオン位置とすると、ストロボ発光のための充電動作が行われるとともにストロボ発光が許容され、オフ位置とすると充電動作が停止されるとともにストロボ発光が禁止される。ストロボ発光部４は、ストロボ操作部材５がオン位置のときに、シャッタ羽根の開閉動作に同期してストロボ光を被写体に向けて照射する。充電完了表示窓８の奧には充電完了表示用のＬＥＤ（図示省略）が配されており、ストロボ発光が可能な状態になったことを撮影者に知らせる。
【００１４】
このカメラには、１３５タイプの写真フイルムが装填される。写真フイルムの装填は、裏蓋操作部材９を操作することにより、装填蓋としての裏蓋１３を開放することで行うことができる。また、このカメラでは、装填直後に未露光の全ての写真フイルムをカメラ側の巻取りスプールにいったん巻き上げ、撮影完了毎に１コマ分ずつパトローネ内に巻き戻しを行うプレワインド方式となっている。なお、巻戻し操作部材１０を押圧操作すると、強制的にパトローネに全写真フイルムが巻き戻される。
【００１５】
上記カメラの要部構成を図２に示す。マイクロコンピュータ１５は、写真フイルムのフイルム給送を制御と、ストロボ発光のための充電動作の禁止を制御する。マイクロコンピュータ１５を含むこのカメラの各電気回路は、電池１６を共通の電源として駆動される。この電池１６としては、例えば２本の単４形アルカリ乾電池が用いられている。赤目防止ＬＥＤ１１は、マイクロコンピュータ１５によって直接に駆動され、前述のようにレリーズボタン７が半押し位置とされた時点で点灯される。なお、レリーズボタン７が素早く全押し位置にまで押圧された際には、赤目防止ＬＥＤ１１は点灯されない。
【００１６】
給送モータ２１は、マイクロコンピュータ１５の制御の下でドライバ２２によって駆動され、その回転は給送機構２３に伝達される。この給送モータ２１としては、正逆両方向に回転可能なものが用いられている。給送機構２３は、カメラ側の巻取りスプール，装填されたパトローネのスプールに係合するフォーク，給送モータ２１の回転方向に応じて、その回転をフォークまたは巻取りスプールに伝達するギア列等から構成されている。
【００１７】
給送モータ２１が正転されると、その回転が給送機構２３を介して巻取りスプールに伝達される。これにより、写真フイルムのプレワインドが行われる。また、給送モータ２１が逆転されると、その回転が給送機構２３を介してフォークに伝達されることにより、パトローネのスプールが回転されてパトローネ内に写真フイルムが巻き戻される。給送機構２３には、写真フイルムの側縁に沿って形成されたパーフォレーションと係合し、写真フイルムの給送に従動回転するスプロケットが設けられている。このスプロケットは、写真フイルムが１コマ分給送されると１回転する。
【００１８】
シャッタ装置２４は、レリーズボタン７の全押し位置への押圧操作に応答してシャッタ羽根の開閉動作を行う。シャッタ装置２４としては、蹴飛ばし式と呼ばれる簡単な構成なものが用いられており、シャッタ駆動レバーをレリーズボタン７の押圧に応答してチャージ位置からリリース位置に向けて移動させることにより、シャッタ羽根を回動させて開閉動作を行う。前述のスプロケットが１回転することにより、シャッタ駆動レバーがリリース位置からチャージ位置に移動されてシャッタ装置２４がシャッタチャージされる。シャッタ駆動レバーは係止部材によってチャージ位置に係止され、レリーズボタン７を押圧すると係止部材による係止が解除されて、シャッタ駆動レバーがリリース位置に向けて移動する。
【００１９】
ストロボ装置２５は、ストロボ光を放出するストロボ放電管，ストロボ発光に先立って充電されるメインコンデンサ，メインコンデンサを充電するための昇圧回路、充電完了を知らせるＬＥＤ，ストロボスイッチ２６，シンクロスイッチ２７等から構成されている。
【００２０】
ストロボスイッチ２６は、ストロボ操作部材５に連動してオン・オフされる。ストロボ操作部材５をオン位置とすると、ストロボスイッチ２６がオンとなり、メインコンデンサの充電動作が行われるとともに、撮影に同期してストロボ発光が行われる。また、ストロボ操作部材５をオフ位置とすると、ストロボスイッチ２６がオフとなって充電動作が停止されるとともに、ストロボ発光が禁止される。
【００２１】
シンクロスイッチ２７は、シャッタ羽根がシャッタ開口を全開にした瞬間にオンとされる。ストロボスイッチ２６がオンとされ、メインコンデンサの充電が完了している状態で、シンクロスイッチ２７がオンとなると、その瞬間にストロボ発光が行われる。
【００２２】
ストロボ装置２５は、マイクロコンピュータ１５からの充電禁止信号が入力されることにより、充電動作を停止する。マイクロコンピュータ１５は、シャッタ羽根の開閉動作を開始した時点から、撮影に引き続き行われる写真フイルムのコマ送りが完了するまで充電禁止信号を出力する。これにより、フイルム給送中にメインコンデンサの充電動作が行われることを禁止し、電池１６から過大な電流が流れることによるその電池１６の出力電圧の低下を防止して、マイクロコンピュータ１５がリセットされないようにしている。なお、充電禁止信号は、コマ送り中の他に、プレワインド中，巻き戻し中などの給送モータ２１の動作時にもストロボ装置２５に入力される。
【００２３】
マイクロコンピュータ１５には、ＳＨＣスイッチ３１，Ｓ１スイッチ３２，ＳＢスイッチ３３，ＳＰＦスイッチ３４がそれぞれ接続されている。ＳＨＣスイッチ３１は、シャッタ装置２４のシャッタチャージ状態を検出する。このＳＨＣスイッチ３１は、シャッタ装置２４がシャッタチャージされているときにオフ、それ以外ではオンとなる。したがって、ＳＨＣスイッチ３１は、前述のシャッタ駆動レバーがチャージ位置にあるときにオフとなり、そのチャージ位置からリーリス位置に向けて移動を開始した瞬間にオンとなる。このＳＨＣスイッチ３１のオン・オフは、ＳＨＣ信号としてマイクロコンピュータ１５に与えられる。
【００２４】
Ｓ１スイッチ３２は、レリーズボタン７が半押し位置とされたときにオンとなって全押し位置でもオンを維持し、それ以外ではオフとなる。このＳ１スイッチ３２のオン・オフは、Ｓ１信号としてマイクロコンピュータ１５に与えられる。マイクロコンピュータ１５は、このＳ１信号のオン・オフによって、レリーズボタン７の押圧操作、及び押圧操作の解除の検知を行う。なお、全押し位置まで押圧されたか否か、また全押し位置からの押圧操作の解除は検知していない。
【００２５】
ＳＢスイッチ３３は、裏蓋１３に連動してオン・オフし、裏蓋１３が閉じているときにオフ、開いているときにオンとなる。また、このＳＢスイッチ３３は、巻戻し操作部材１０にも連動しており、裏蓋１３が閉じているときに巻戻し操作部材１０を押圧すると、ＳＢスイッチ３３がオンとなる。このＳＢスイッチ３３のオン・オフは、ＳＢ信号としてマイクロコンピュータ１５に与えられる。ＳＢ信号は、裏蓋１３の開閉の検知，プレワインドやリワインドの制御等に用いられる。
【００２６】
ＳＰＦスイッチ３４は、給送機構２３のスプロケットの回転に連動しており、写真フイルムの１コマ給送に連動してオン・オフする。このＳＰＦスイッチ３４のオン・オフは、ＳＰＦ信号としてマイクロコンピュータ１５に与えられ、写真フイルムの給送の制御に用いられる。
【００２７】
なお、この例においては、ＳＨＣスイッチ３１がチャージ検出手段，ＳＨＣ信号がチャージ信号である。また、Ｓ１スイッチ３２がレリーズ検出手段，Ｓ１信号がレリーズ信号である。
【００２８】
マイクロコンピュータ１５は、プログラムを実行するＣＰＵ，Ｉ／Ｏ回路，ＲＯＭ１５ａ，ＲＡＭ１５ｂ等から構成されている。ＲＯＭ１５ａには，フイルム給送及び充電禁止等を制御するためのプログラムが書き込まれており、このプログラムにしたがってマイクロコンピュータ１５は、上記の各スイッチ３１〜３４の信号に基づき赤目防止ＬＥＤ１１の駆動、給送モータ２２の駆動、ストロボ装置２５への充電禁止信号の出力の制御を行う。
【００２９】
ＲＡＭ１５ｂは、制御に必要なパラメータが記憶される。パラメータとしては、撮影可能な状態に写真フイルムが装填されているか否かを示す装填情報としての給送状態と、処理の実施状態を示す処理フラグ等がある。給送状態としては、「初期状態」と、「予備巻中」と、「コマ送り中」とがあり、いずれか１つの給送状態がセットされる。
【００３０】
「初期状態」は、写真フイルムが装填されていないか、パトローネ内に全ての写真フイルムを巻き戻されたリワインド処理済の写真フイルムが装填されていることを示しており、リワインド処理が完了されたとき、及びマイクロコンピュータ１５がリセットされた後に動作を開始したときにセットされる。この「初期状態」は、撮影に使用可能な状態で写真フイルムが装填されていないことを示している。
【００３１】
「予備巻中」は、写真フイルムが装填されていることを示すとともに、予備巻が完了していることを示す。この「予備巻中」は、ＳＰＦ信号に基づいて、プレワインド処理の開始に先だって行われる予備巻処理によって、写真フイルムがカメラ側の巻取りスプールに巻き付けられたことが確認された時点でセットされる。
【００３２】
「コマ送り中」は、プレワインドが完了し、撮影に使用可能な写真フイルムが装填されていることを示す。この「コマ送り中」は、プレワインド後に行われるファーストフレームセットを行う際にセットされるが、撮影毎に行われる１コマ給送処理が実施される毎にも給送状態が「コマ送り中」となるように再セットされる。したがって、後述するようにマイクロコンピュータ１５のリセットで、写真フイルムの装填されているにもかかわらず「初期状態」とされている場合でも、１コマ給送処理が行われると給送状態が「コマ送り中」となる。
【００３３】
処理フラグは、１コマ給送処理，リワインド処理，プレワインド処理内の予備巻処理のいずれか１つでも実施済であるか否かを判別するために用いられるものであり、いずれか１つでも実施済である場合には「１」に、全てが未実施のときには「０」がセットされる。マイクロコンピュータ１５がリセットされたとき、写真フイルムを装填してプレワインドが実施された後に、その写真フイルムが装填されている状態で裏蓋１３が開閉されることに応答したリワインド処理が実施されときに、この処理フラグはリセットされて「０」とされる。
【００３４】
Ｉ／Ｏ回路には、ドライバ２２，ストロボ装置２５，各スイッチ３１〜３４が接続されており、このＩ／Ｏ回路を介して各スイッチ３１〜３４からの入力信号がＣＰＵで監視され、またドライバ２２，ストロボ装置２５への信号送出を行う。
【００３５】
このように構成されるカメラには、電源スイッチが設けられておらず、マイクロコンピュータ１５は、通常はＳ１信号とＳＢ信号のオフからオンへの変化だけを監視することで、低電力で作動するスタンバイモードとなっている。スタンバイモード下でＳ１信号またはＳＢ信号が変化すると、マイクロコンピュータ１５は、撮影を実行するためにスタンバイモードを解除して、動作制御モードとなり、各スイッチ３１〜３４からの信号を監視し、それに基づいてドライバ２２，ストロボ装置２５の制御を行う。
【００３６】
バックアップコンデンサ３６は、電池１６の出力電圧の瞬間的な低下した際にもマイクロコンピュータ１５供給電圧を維持することによって、マイクロコンピュータ１５がリセットされることを防止する。また、ダイオード３７は、バックアップコンデンサ３６の電力がストロボ装置２５等で消費さることを防止する。
【００３７】
マイクロコンピュータ１５は、上記のようにレリーズボタン７の押圧に応じたＳ１信号と裏蓋１３の開閉に応じたＳＢ信号だけをスタンバイモードでは監視しており、シャッタ装置２４のチャージ状態すなわちＳＨＣ信号を監視していない。このためレリーズボタン７の押圧がされていないにもかかわらず、シャッタ装置２４がシャッタチャージされている状態からされていない状態にすることに対応するために、Ｓ１信号のオンとなったときにＳＨＣ信号がオンとなっている場合には１コマ給送処理を行う。このようにすることで、簡単な操作で撮影可能な状態に復帰させるとともに、スタンバイモードでの消費電力を少なくしている。
【００３８】
次に上記構成の作用について図３ないし図５を参照しながら説明する。最初に通常の動作の説明をする。写真フイルムの装填は、裏蓋操作部材９を操作して裏蓋１３を開放し、パトローネをパトローネ室に装填するとともに、そのパトローネから予め僅かに引き出されている写真フイルムの先端をフイルム室のスプールに掛かるまでさらに引き出してから裏蓋１３を閉じる。
【００３９】
図３にスタンバイ処理を示すように、マイクロコンピュータ１５は、フイルム給送等の動作制御が完了し、ＳＢ信号及びＳ１信号がオフであるときには、スタンバイモードとなる。このスタンバイモードとなると、マイクロコンピュータ１５は、Ｓ１信号，ＳＢ信号だけを繰り返し監視する。そして、Ｓ１信号，ＳＢ信号のいずれか一方がオンに変化すると、スタンバイモードを解除して動作制御モードとなって図４に示す分岐処理を実行する。
【００４０】
上記のように写真フイルムの装填のために裏蓋１３が開放されると、ＳＢ信号がオンとなるため、マイクロコンピュータ１５は動作制御モードとしてから分岐処理を実行する。分岐処理が実行されると、まずストロボ装置２５の充電が許可されてから、ＳＢ信号が調べられる。ＳＢ信号がオフである場合には、次にＳ１がオフであるか否かが調べられる。
【００４１】
この場合には写真フイルムを装填するために裏蓋１３を開放しており、レリーズボタン７を押圧していないから、ＳＢ信号がオン，Ｓ１信号がオフとなっているので、次のＳ１がオンであるか否かを調べるステップ及びＳＢ信号がオフであるか否かを調べるステップを繰り返し行うようになる。そして、写真フイルムの装填後に裏蓋１３を閉じると、ＳＢ信号がオフとなるので給送状態が「初期状態」であるか否かを調べるステップが実行される。
【００４２】
前回の撮影に使用した写真フイルムをパトローネに巻き戻したリワインド処理が完了した時点で、あるいはマイクロコンピュータ１５がリセットされた時点でＲＡＭ１５ａの給送状態が「初期状態」にされているから、次に給送モータ２１が正転されて予備巻処理が行われ、装填された写真フイルムの先端部がカメラ側のスプールに巻き付けられる。写真フイルムの先端部がスプールに巻き付けられたことがＳＰＦ信号の変化、すなわちスプロケットの回転から検知されると、給送状態が「予備巻中」に変更されてからプレワインド処理が実行される。
【００４３】
プレワインド処理では、予備巻処理と同様に給送モータ２１が正転されて写真フイルムの全ての写真フイルムがカメラ側の巻取りスプールに巻き上げられる。そして、全ての写真フイルムが巻き上げられたことがＳＰＦ信号の変化から検知されると、給送状態が「コマ送り中」とされてから、ファーストフレームセットが行われる。
【００４４】
ファーストフレームセットでは、給送モータ２１が逆転され、ＳＰＦ信号に基づいて写真フイルムが例えば２コマ分巻き戻される。そして、このファーストフレームセットでのフイルム給送中には、スプロケットの回転でシャッタ装置２４のシャッタチャージが行われ、シャッタチャージの完了にともなってＳＨＣ信号がオフとなる。
【００４５】
ファーストフレームセットが終了すると、分岐処理の最初に戻り、レリーズボタン７，裏蓋１３を操作しなければＳ１信号，ＳＢ信号がオフとなっているので、図３のスタンバイ処理が実行されて、スタンバイモードとなったマイクロコンピュータ１５によってＳ１信号，ＳＢ信号が監視される。
【００４６】
撮影する場合には、ファインダで構図を決めた後にレリーズボタン７を全押し位置にまで押圧する。なお、ストロボ撮影を行う場合には、ストロボ操作部材５をオン位置とし、充電が完了したことを確認してからレリーズボタン７を押圧する。
【００４７】
レリーズボタン７を押圧操作すると、その押圧によりレリーズボタン７が半押し位置となった時点でＳ１信号がオンとなる。これにより、マイクロコンピュータ１５が動作制御モードとなってから、分岐処理が実行される。Ｓ１信号がオンであるとともに、裏蓋１３が閉じられてＳＢ信号がオフとなっているから、図５に示されるレリーズ処理が実行される。
【００４８】
図５に示されるように  レリーズ処理では、まず、最初の３ステップによってＳＨＣ信号，ＳＢ信号，給送状態が調べられる。ＳＨＣ信号がオン，ＳＢ信号がオン，給送状態が「コマ送り中」の条件を全て満たしている場合には、ストロボ装置２５の充電を禁止してから、直ちに１コマ給送処理を開始する。また、いずれかの条件を１つでも満たしていない場合には、赤目防止ＬＥＤ１１を点灯させるステップが実行される。
【００４９】
裏蓋１３が閉じており、先のファーストフレームセットの際に給送状態が「コマ送り中」にセットされているから、ＳＢ信号，給送状態の条件を満たしているが、例えばレリーズボタン７を半押し位置にしている場合には、シャッタ駆動レバーのチャージ位置での係止が解除されていないのでＳＨＣ信号がオフとなっている。したがって、この場合には、次に赤目防止ＬＥＤ１１が点灯されてから、Ｓ１信号及びＳＨＣ信号の監視が繰り返し行われる。
【００５０】
レリーズボタン７を半押し位置から全押し位置に押し込むと、これに応答してシャッタ装置２４内でのシャッタ駆動レバーの係止が解除され、このシャッタ駆動レバーがチャージ位置からリリース位置に向けて移動を開始する。これにより、シャッタ羽根の開閉動作が行われて写真フイルムに対して露光が行われる。
【００５１】
上記のようにシャッタ駆動レバーがチャージ位置からリリース位置に向けて移動を開始すると、ＳＨＣ信号がオンとなる。ＳＨＣ信号がオンとなると、その瞬間にマイクロコンピュータ１５により赤目防止ＬＥＤ１１が消灯されるとともに、このマイクロコンピュータ１５から充電禁止信号がストロボ装置２５に送出されて充電が禁止される。これにより、写真フイルムに対する露光中には、赤目防止ＬＥＤ１１が消灯されるとともに、次に行われる１コマ分のフイルム給送に備えてストロボ装置２５の充電動作が禁止される。
【００５２】
ストロボ装置２５の充電動作を禁止してから、ＳＢ信号がオフであること、すなわち裏蓋１３が開いていないことが確認されてから、処理フラグが調べられる。すなわち、１コマ給送処理，リワインド処理，予備巻処理のいずれか１つでも実施済であるか、これらの全ての処理が未実施であるかが調べられる。
【００５３】
この場合には、現在装填されている写真フイルムがマイクロコンピュータ１５のリセット後に初めて装填されたものであっても、予備巻処理が実施済であるから、処理フラグは実行済を示す「１」とされている。したがって、この場合には、このステップの条件判断は「Ｎｏ」となって，次に給送状態が「コマ送り中」であるか否かを判断するステップが実行される。
【００５４】
前述のように、ファーストフレームセット時に給送状態が「コマ送り中」とされているから、この後に給送状態が「コマ送り中」に再セットされてから、１コマ給送処理が開始される。なお、「コマ送り中」でなければ撮影可能な状態に装填されていないとして１コマ給送処理を実施しないで分岐処理に移る。
【００５５】
なお、素早くレリーズボタン７を押圧操作した場合には、レリーズ処理に移行した時点でシャッタ駆動レバーの係止が外れて、ＳＨＣ信号がオンとなっていることがある。このような場合には、レリーズ処理の最初の３ステップで調べられる各条件を満たすことになるから、赤目防止ＬＥＤ１１の点灯させるステップが省略されて直ちにストロボ装置２５の充電が禁止され、そして給送状態が「コマ送り中」に再セットされてから１コマ給送処理が開始される。また、これらのステップにより、後述するように落下などによりカメラボディに強い衝撃が与えられたり、急激な振動が与えられてシャッタチャージされていない状態となってしまった場合にも、１コマ給送処理を行って撮影が継続できるようにしている。
【００５６】
１コマ給送処理では、給送モータ２１が逆転され、１コマ分の写真フイルムの巻き戻しが行われる。ＳＰＦ信号に基づいて１コマ分の巻き戻しが検知されると、給送モータ２１が停止される。また、この１コマ分のフイルム給送の間に、この写真フイルムの給送に連動してシャッタ装置２４がシャッタチャージされる。
【００５７】
なお、実際には１コマ給送処理は、充電が禁止されから実行され、レリーズボタン７の押圧が解除されたのが確認されてから給送状態が「コマ送り中」に再セットされて、その後に給送モータ２１が逆転される。
【００５８】
１コマ給送処理の後、分岐処理が行われる。そして、この分岐処理で充電が許可されてから、ＳＢ信号及びＳ１信号のオフによって、裏蓋１３が閉じられていること及びレリーズボタン７の押圧が解除されていることが確認された後に、スタンバイ処理が実行されて、マイクロコンピュータ１５がスタンバイモードとなり、ＳＢ信号，Ｓ１信号が監視される。
。
【００５９】
以下、同様にしてレリーズボタン７の押圧操作によりに撮影が行われ、撮影後にレリーズボタン７の押圧が解除されると、写真フイルムの１コマ給送が行われることのより、順次に撮影が進められる。
【００６０】
プレワインド処理で巻き上げられた写真フイルムの長さに応じた撮影可能なコマ数分の撮影が完了した後の１コマ給送処理では、図示しないフイルムカウント機構によってシャッタチャージが禁止される。このため、この１コマ給送処理中では、ＳＰＦ信号に基づいて１コマ分のフイルム給送が検知された時点でＳＨＣ信号がオンのままとなる。このようにＳＰＦ信号による１コマ分のフイルム給送の完了時にＳＨＣ信号がオンのままであると、マイクロコンピュータ１５はリワインド処理を実行して残りの全ての写真フイルムをパトローネ内に巻き戻す。そして、このリワインド処理を完了した時点で、マイクロコンピュータ１５によって給送状態が「初期状態」とされる。なお、全ての写真フイルムをパトローネ内に巻き戻したことは、ＳＰＦ信号に基づいて検知できる。
【００６１】
撮影者は、リワインド処理の完了後、裏蓋操作部材９を操作して裏蓋１３を開放し、パトローネ取り出す。この後に、新たな写真フイルムを装填すれば、上記と同様な処理が行われて、プレワインド処理、ファーストフレームセットの後に撮影を行うことができる。
【００６２】
上記のように撮影を行っている途中で、落下などによりカメラボディに強い衝撃が与えられたり、急激な振動が与えられると、シャッタ装置２４のシャッタ駆動レバーは、係止部材との係止が外れ、チャージ位置からリリース位置に向けて移動し、シャッタチャージされていない状態となってしまう。そして、これにともないシャッタ羽根の開閉動作が行われて写真フイルムに露光が与えられてしまう。
【００６３】
このようにシャッタチャージされていない状態となって場合には、レリーズボタン７を押圧する。このときに、レリーズボタン７は半押し位置まで押圧すればよい。レリーズボタン７の押圧によりＳ１信号がオンとなると、スタンバイモードで動作しているマイクロコンピュータ１５は、分岐処理を経て、通常の動作と同様に図５に示されるレリーズ処理が実行される。
【００６４】
このレリーズ処理の最初３ステップでＳＨＣ信号，ＳＢ信号，給送状態が調べられる。この場合には、シャッタチャージされていないためＳＨＣ信号がオンとなっている。また、撮影の途中であるので、裏蓋１３が閉じられてＳＢ信号がオフ、給送状態が「コマ送り中」とされているから、ストロボ装置２５の充電を禁止するステップ、給送状態を「コマ送り中」に再セットするステップは実行された後に１コマ給送処理が実行される。なお、撮影可能な状態に写真フイルムが装填されていない場合には、給送状態が「コマ送り中」でなくなるので、１コマ給送処理は行われない。
【００６５】
そして、この１コマ給送処理によって、１コマ分の写真フイルムが巻き戻されるとともに、このフイルム給送に連動してシャッタ装置２４のシャッタチャージが行われる。このように１コマ分の写真フイルムが巻き戻された後には、レリーズボタン７を押圧することにより撮影を継続することができる。
【００６６】
上記のように、衝撃が与えられるなどの理由によってシャッタチャージがされていない状態に変化しても、次にＳ１信号がオンとなったとき、すなわちレリーズボタン７を押圧したときに１コマ分のフイルム給送を行ってシャッタチャージを行うから、撮影者がシャッタチャージされていないことを意識していなくても、撮影可能な状態に復帰できる。また、このように撮影可能な状態に復帰するためにマイクロコンピュータ１５が常にＳＨＣ信号を監視している必要がなく、低電力で動作させることができる。
【００６７】
上記実施形態では、蹴飛ばし式のシャッタ装置を用いた例について説明したが、他の機械式シャッタ装置を用いたものであってもよい。
【００６８】
【発明の効果】
以上詳細に説明したように、本発明によれば、レリーズ信号が入力されていないときにシャッタ装置がシャッタチャージされていない状態に変化した場合には、次に入力されるレリーズ信号に応答し給送モータを駆動して１コマ分のフイルム給送を行うから、簡単な操作で撮影可能な状態に復帰できる。
【図面の簡単な説明】
【図１】本発明を実施したカメラの外観を示す斜視図である。
【図２】カメラの要部構成を示すブロック図である。
【図３】待ち受け動作であるスタンバイモードと、動作制御モードを切り替えるスタンバイ処理を示すフローチャートである。
【図４】レリーズボタン等の操作に応じて実行する処理を分岐させる分岐処理を示すものである。
【図５】レリーズボタンが押圧されたときに実行されるレリーズ処理を示すフローチャートである。
【符号の説明】
７  レリーズボタン
１５  マイクロコンピュータ
２１  給送モータ
２４  シャッタ装置
３１〜３４  スイッチ
【図１】
2004302278.tif 000003
【図２】
2004302278.tif 000004
【図３】
2004302278.tif 000005
【図４】
2004302278.tif 000006
【図５】
2004302278.tif 000007